(57)【特許請求の範囲】
【請求項１】
基材上に複写不能領域を有する印刷物であって、前記複写不能領域が基材上にパールインキ印刷層が積層され、さらに前記パールインキ印刷層上にエンボスによる複写不能な画像が形成されていることを特徴とする印刷物。
【請求項２】
前記基材と前記パールインキ印刷層の間に色印刷層が設けられていることを特徴とする請求項１記載の印刷物。
【請求項３】
前記パールインキ印刷層が有色インキで着色されていることを特徴とする請求項１又は２記載の印刷物。
【発明の詳細な説明】
【技術分野】
【０００１】
本発明は、複写防止機能を有する印刷物に関し、複写した場合、複写された情報の判読が不可能であるか又は判読困難となる金券類、証券類、重要書類などの印刷物に関する。
【背景技術】
【０００２】
従来から用紙に記録された情報の機密を守るための一つの手段として、静電複写装置により複写されたとしても複写情報が判読不可能か又は判読困難となるような複写防止用紙は知られている。この複写防止用紙は、所定の機密領域にアルミ箔の貼付や箔押しなどにより、形成された反射層が設けられていることを特徴としている。さらには、印刷絵柄の一部分を箔押しにより形成し、その周囲を濃色に印刷することにより複写すると箔押し部分の判読が困難となる複製困難な印刷物が提案されている（例えば、特許文献１参照）。上記の技術によれば、いずれもアルミ箔の貼付や、箔押しを行なうために、アルミ箔又は箔押し用転写フィルムの材料にかかる費用や、アルミ箔の貼合加工又は箔押しによる転写加工の加工にかかる費用が必要となり、高価なものとなっており、安価で加工の効率的な反射層を形成する方法が望まれていた。
【特許文献１】実開昭５９−９９７８１号公報
【発明の開示】
【発明が解決しようとする課題】
【０００３】
本発明は、上記のような課題を解決するためになされたものであり、本発明の印刷物に設けられた複写不能領域に形成された画像を十分に読み取ることができ、かつ、複写された画像が確実に判別不能または判別困難となる複写防止機能を有する印刷物を安価に提供するものである。
【課題を解決するための手段】
【０００４】
上記課題を解決するために、請求項１記載の本発明は、基材上に複写不能領域を有する印刷物であって、前記複写不能領域が基材上にパールインキ印刷層が積層され、さらに前記パールインキ印刷層上にエンボスによる複写不能な画像が形成されていることを特徴とするものである。
【０００５】
また、請求項２記載の本発明は、請求項１記載の印刷物において、前記基材と前記パールインキ印刷層の間に色印刷層が設けられていることを特徴とするものである。
【０００６】
また、請求項３記載の本発明は、請求項１又は２記載の印刷物において、前記パールインキ印刷層が有色インキで着色されていることを特徴とするものである。
【発明の効果】
【００１２】
本発明の印刷物は、基材上にパールインキ印刷層が積層され、さらにエンボスによる複写不能な画像が形成されている複写不能領域を有することにより、エンボスにより形成された画像部分とエンボスされていない部分に対して光の反射面が異なるために、パールインキ印刷層の真珠光沢に差を生じ、明確に判読できる。一方、前記印刷物を複写した場合、前記複写不能領域において、パールインキ印刷層は透明性があるために入射光が透過し、基材の色が複写され、また、エンボスにより形成された画像部分も入射光が透過し、基材の色が複写され、エンボスにより形成された画像の判別が不能または判別が困難となり、本発明の印刷物は複写防止効果を有し、複写不能領域にエンボスにより形成された画像を容易に入手できないという効果を奏する。
【００１４】
本発明の印刷物は、基材上に色印刷層、パールインキ印刷層の順に積層され、さらにエンボスによる複写不能な画像が形成されている複写不能領域を有することにより、エンボスにより形成された画像部分とエンボスされていない部分に対して光の反射面が異なるために、パールインキ印刷層のパール光沢に差を生じ、明確に判読できるものである。一方、前記印刷物を複写した場合、前記複写不能領域において、パールインキ印刷層は透明性があるために入射光が透過し、パールインキ印刷層と基材との間に設けられた色印刷層の色が複写され、また、エンボスにより形成された画像部分も入射光が透過し、パールインキ印刷層と基材との間に設けられた色印刷層の色が複写され、エンボスにより形成された画像の判別が不能または判別が困難となるものである。
【００１５】
本発明の印刷物は、パールインキ印刷層を有色インキで着色することによって、意匠性の向上が図れるとともに、顧客満足度を高めるものである。
【発明を実施するための最良の形態】
【００１６】
以下図面を用いて、本発明の実施形態について説明する。図１は本発明の印刷物の一実施形態の構成を示す平面図である。図２は図１のＡ−Ａ線における断面図である。図３は本発明の印刷物の複写不能領域において複写時の照明光の反射状態を説明する図であり、（イ）は複写不能領域の反射層面における照明光の反射状態、（ロ）はエンボスにより形成された画像部分における照明光の反射状態を示す。図４は本発明の印刷物の他の実施形態を示す図１のＡ−Ａ線相当部における断面図である。
【００１７】
まず、図１および図２を用いて本発明の一実施形態について説明する。図１に示すように、本発明の印刷物１は、上質紙、中質紙、塗工紙、ＯＣＲ紙等の紙及び合成樹脂等からなる基材２の表面に一般の情報を表示した表示部３と複写しても複製が困難な複写不能領域４が設けられて構成されている。さらに複写不能領域４の表面にはエンボスによる複写不能な画像が形成された画像部５が設けられている。複写不能領域４は、基材２の上に機能層４’が積層されて構成され、該機能層４’は、通常の複写機で複写すると複写機の光源部からの照明光を正反射したり、透過したりする役目をするものである。機能層４’が、金インキ又は銀インキを印刷して、金インキ印刷層又は銀インキ印刷層として積層されて設けられる場合には、照明光を正反射する役目をし、機能層４’が、パールインキ又は透明インキを印刷して、パールインキ印刷層又は透明インキ印刷層として積層されて設けられる場合には、照明光を透過する役目をするものである。
【００１８】
つぎに、図３を用いて複写不能領域４を複写した場合について説明する。図３は本発明の印刷物１を複写機の原稿台に載せて複写する状態を説明する図であり、（イ）は複写不能領域４を構成する機能層４’の面に複写機の照明光が入射し、反射する状態を示す。まず、機能層４’が、パールインキ印刷層の場合について説明する。図３（イ）に示すように、光源部６からの照明光７の一部を機能層４’の表面で正反射させ、一部は機能層４’を透過し、基材２で反射され散乱光（図示しない）が受光部９に入射し、基材の色が複写される。図３（ロ）に示すように複写不能領域４の表面にエンボスにより形成された画像部５は、光源部６からの照明光７を画像部５の表面で一部散乱され、一部は機能層４’を透過し、基材２で反射され散乱光（図示しない）が受光部９に入射し、基材の色が複写される。その結果、複写不能領域４の複写画像は機能層４’の面も画像部５も基材２の色が複写され、画像部５の判別が不能または判別が困難となるものである。
【００１９】
つぎに機能層４’となるパールインキ印刷層に使用する印刷インキについて説明する。パールインキ印刷層に使用されるパールインキは、一般に知られているマイカや酸化ケイ素、酸化アルミと酸化チタンや酸化鉄等の金属酸化物からなるパール顔料を透明なメジウムに分散させて印刷適性を付与したインキである。このインキを用いて印刷する印刷方式は、オフセット印刷、グラビア印刷、シルクスクリーン印刷等が利用できる。また、パールインキに有色インキで着色し、それぞれのインキで印刷された印刷層に着色することができ、複写不能領域４をカラフルにすることもでき、意匠性の向上が図れるものである。また、顧客の要求に応じて、色選択ができ、顧客満足度を高めるものである。このようにパールインキ印刷層からなる機能層４’を印刷することにより設けられ、従来のアルミ箔の貼付や箔押しにより設けた反射層に比べて、アルミ箔又は箔押し用転写フィルム等の材料費及びアルミ箔の貼合加工又は箔押しによる転写加工等の加工費が不要となり、安価に製造できるものである。
【００２０】
つぎに、図４を用いて、本発明の印刷物の他の実施形態について説明する。図４は図１のＡ−Ａ線相当部における断面図を示し、前記の本発明の一実施形態と対比して、複写不能領域４の積層構成のみが相違している。図４に示すように本発明の印刷物１’は、上質紙、中質紙、塗工紙、ＯＣＲ紙等の紙及び合成樹脂等からなる基材２の表面に一般の情報を表示した表示部３と複写しても複製が困難な複写不能領域４が設けられ構成されている。さらに複写不能領域４の表面にはエンボスによる複写不能な画像が形成された画像部５が設けられている。複写不能領域４は、基材２の上に色印刷層１１を介して機能層４’が積層されて構成され、該機能層４’は、照明光を透過するものであり、パールインキを印刷して、パールインキ印刷層として積層されて設けられている。基材２と複写不能領域４の機能層４’の間に色印刷層１１を設けることにより、基材２の表面平滑性が増し、機能層４’の表面平滑性を高めるために、エンボスにより形成された画像部５との光沢の差が大きくなり、画像部５が一層、明確に判読できるものである。また、複写不能領域４を複写した場合、光源部６からの照明光７の一部を機能層４’の表面で正反射させ、一部は機能層４’を透過し、色印刷層１１で反射され散乱光（図示しない）が受光部９に入射し、色印刷層１１の色が複写される。また、エンボスにより形成された画像部５は、光源部６からの照明光７を画像部５の表面で一部散乱され、一部は機能層４’を透過し、色印刷層１１で反射され散乱光（図示しない）が受光部９に入射し、色印刷層１１の色が複写される。その結果、複写不能領域４の複写画像は機能層４’の面も画像部５も色印刷層１１の色が複写され、画像部５の判別が不能または判別が困難となるものである。色印刷層１１に使用できる色インキは、特に限定されるものではないが、濃色、例えば、青、赤系等が好ましい。その他は、前記の本発明の印刷物１の一実施形態と同じであり説明を省略する。
【図面の簡単な説明】
【００２１】
【図１】本発明の印刷物の一実施形態の構成を示す平面図である。
【図２】図１のＡ−Ａ線における断面図である。
【図３】本発明の印刷物の複写不能領域において複写時の照明光の反射状態を説明する図である。
【図４】本発明の印刷物の他の実施形態を示す図１のＡ−Ａ線相当部における断面図である。
【符号の説明】
【００２２】
１、１’                              印刷物
２                                    基材
３                                    表示部
４                                    複写不能領域
４’                                  機能層
５                                    画像部
６                                    光源部
７                                    照明光
８                                    正反射光
９                                    受光部
１０                                    散乱光
１１                                    色印刷層
【図１】
0004743409.tif 000002
【図２】
0004743409.tif 000003
【図３】
0004743409.tif 000004
【図４】
0004743409.tif 000005